(57)【特許請求の範囲】
【請求項１】
輝度信号のＹと色差信号のＰＢ，ＰＲからなる外部コンポーネント・ビデオ信号のＹ，ＰＢ，ＰＲ入力回路と、ＮＴＳＣの輝度信号Ｙと色信号Ｃから色差信号Ｂ−Ｙ，Ｒ−Ｙを復調するＮＴＳＣ色差信号復調回路と、Ｙ信号から水平／垂直同期信号を抜き取る同期信号分離回路と、ＨＤ（ハイ・ディフィニション）カラー・マトリクスのＹ，ＰＢ，ＰＲ信号をＨＤ復調によりＲ，Ｇ，Ｂの原色信号に復調し、ＳＤ（スタンダード・ディフィニション）カラー・マトリクスのＹ，Ｂ−Ｙ，Ｒ−Ｙ信号をＳＤ復調によりＲ，Ｇ，Ｂの原色信号に復調するＲＧＢ復調回路を備えたテレビジョン受信装置において、ＰＢ，ＰＲ信号の振幅を増幅してＢ−Ｙ，Ｒ−Ｙ信号に変換する色差信号振幅変換アンプ回路と、色差信号振幅変換アンプ回路通過前後の信号を切り替えるスイッチ回路と、水平同期周波数を検出する水平同期周波数検出回路を備え、入力信号の水平同期周波数に応じて色差信号振幅変換アンプ回路通過前後の信号を切り替えることで、入力信号のカラー・マトリクスに忠実な色を再現する為の振幅変換を自動的に行うことを特徴とする色差信号変換回路。
【請求項２】
ＰＢ，ＰＲ信号の振幅を増幅してＢ−Ｙ，Ｒ−Ｙ信号に変換する色差信号振幅可変アンプ回路を備え、入力信号の水平同期周波数に応じて色差信号振幅可変アンプ回路のゲインを変えることで、入力信号のカラー・マトリクスに忠実な色を再現する為の振幅変換を自動的に行うことを特徴とする請求項１に記載の色差信号変換回路。
【発明の詳細な説明】
【０００１】
【発明の属する技術分野】
本発明は、入力信号のカラー・マトリクスに忠実な色を再現する為の振幅変換を自動的に行うことを特徴とする色差信号変換回路に関するものである。
【０００２】
【従来の技術】
図３は、従来のテレビジョン受信装置の概略構成図の一例を示す。図３において、符号１は、外部コンポーネント・ビデオ信号のＹ，ＰＢ，ＰＲ入力回路である。２は、ＮＴＳＣの輝度信号Ｙと色信号Ｃから色差信号Ｂ−Ｙ，Ｒ−Ｙを復調するＮＴＳＣ色差信号復調回路である。３は、外部コンポーネント・ビデオ入力のＹ，ＰＢ，ＰＲ信号とＮＴＳＣのＹ，Ｂ−Ｙ，Ｒ−Ｙ信号を切り替えるスイッチ回路である。４は、Ｙ信号から水平／垂直同期信号を分離する同期信号分離回路である。５は、ＨＤ（ハイ・ディフィニション）カラー・マトリクスの外部コンポーネント・ビデオ信号Ｙ，ＰＢ，ＰＲをＨＤ復調により、ＳＤ（スタンダード・ディフィニション）カラー・マトリクスのＮＴＳＣ信号Ｙ，Ｂ−Ｙ，Ｒ−ＹをＳＤ復調によりＲ，Ｇ，Ｂの原色信号に復調するＲＧＢ復調回路である。以下にその動作を説明する。
【０００３】
図３において、外部コンポーネント・ビデオ信号はＹ，ＰＢ，ＰＲ入力回路１に入力され、スイッチ回路３に伝達される。
一方、ＮＴＳＣの輝度信号Ｙと色信号ＣはＮＴＳＣ色差信号復調回路２でＹ，Ｂ−Ｙ，Ｒ−Ｙ信号に復調され、スイッチ回路３に伝達される。スイッチ回路３で選択された外部コンポーネント・ビデオのＹ信号もしくはＮＴＳＣのＹ信号が同期信号分離回路４に伝達される。
同期信号分離回路４でＹ信号から分離された水平／垂直同期信号は偏向回路に伝達される。又、スイッチ回路３で選択された外部コンポーネント・ビデオのＹ，ＰＢ，ＰＲ信号もしくはＮＴＳＣのＹ，Ｂ−Ｙ，Ｒ−Ｙ信号がＲＧＢ復調回路５に伝達され、Ｙ，ＰＢ，ＰＲ信号はＨＤ復調により、Ｙ，Ｂ−Ｙ，Ｒ−ＹはＳＤ復調によって、輝度信号と色差信号からＲ，Ｇ，Ｂの原色信号に復調される。
【０００４】
【発明が解決しようとする課題】
しかしながら上記のような回路構成では、外部コンポーネント・ビデオのＹ，ＰＢ，ＰＲ信号はＨＤ復調を行う為、ＳＤカラー・マトリクスのＹ，ＰＢ，ＰＲ信号が入力された場合には正確な色復調ができないという課題を有していた。
【０００５】
本発明は外部コンポーネント・ビデオ信号の水平同期周波数を検出する水平同期周波数検出回路と、水平同期周波数に応じて、ＰＢ，ＰＲ信号の振幅を増幅してＢ−Ｙ，Ｒ−Ｙ信号に変換する色差信号振幅変換アンプ回路を備えることで、入力信号のカラー・マトリクスに忠実な色を再現する為の振幅変換を自動的に行う回路構成を提供するものである。
【０００６】
【課題を解決するための手段】
上記問題点を解決するために、色差信号変換回路は以下の点を特徴とする。
外部コンポーネント・ビデオ入力信号の水平同期周波数を検出する水平同期周波数検出回路と、水平同期周波数に応じて、ＰＢ，ＰＲ信号の振幅を増幅してＢ−Ｙ，Ｒ−Ｙ信号に変換する色差信号振幅変換アンプ回路を備えることで、入力信号のカラー・マトリクスに忠実な色を再現する為の振幅変換を自動的に行うことを特徴とする回路構成である。
【０００７】
【発明の実施の形態】
本発明の請求項１に記載の発明は、外部コンポーネント・ビデオ信号のＹ，ＰＢ，ＰＲ入力回路と、Ｙ信号から水平／垂直同期信号を抜き取る同期信号分離回路と、ＨＤ（ハイ・ディフィニション）カラー・マトリクスのＹ，ＰＢ，ＰＲ信号をＨＤ復調によりＲ，Ｇ，Ｂの原色信号に復調し、ＳＤ（スタンダード・ディフィニション）カラー・マトリクスのＹ，Ｂ−Ｙ，Ｒ−Ｙ信号をＳＤ復調によりＲ，Ｇ，Ｂの原色信号に復調するＲＧＢ復調回路を備えたテレビジョン受信装置において、特にＰＢ，ＰＲ信号の振幅を増幅してＢ−Ｙ，Ｒ−Ｙ信号に変換する色差信号振幅変換アンプ回路と、色差信号振幅変換アンプ回路通過前後の信号を切り替えるスイッチ回路と、水平同期周波数を検出する水平同期周波数検出回路を備えた色差信号変換回路に関するものであり、入力信号水平同期周波数に応じて色差信号振幅変換アンプ回路通過前後の信号を切り替えることで、入力信号のカラー・マトリクスに忠実な色を再現する為の振幅変換を自動的に行うという作用を有する。
【０００８】
請求項２に記載の発明は、上記請求項１に記載の色差信号変換回路において、ＰＢ，ＰＲ信号の振幅を増幅してＢ−Ｙ，Ｒ−Ｙ信号に変換する色差信号振幅可変アンプ回路を備え、入力信号水平同期周波数に応じて色差信号振幅可変アンプ回路のゲインを変えることで、入力信号のカラー・マトリクスに忠実な色を再現する為の振幅変換を自動的に行うという作用を有する。
以下、本発明の実施の形態について、図１から図２を用いて説明する。
【０００９】
（実施の形態１）
図１は、本発明の実施の形態１における、入力信号の水平同期周波数に応じて、ＰＢ，ＰＲ信号の振幅を増幅してＢ−Ｙ，Ｒ−Ｙ信号に変換する色差信号振幅変換アンプ回路通過前後の信号を切り替えることで、入力信号のカラー・マトリクスに忠実な色を再現する為の振幅変換を自動的に行うことを特徴とする色差信号変換回路の概略構成図を示すものである。
【００１０】
図１において、符号１は、外部コンポーネント・ビデオ信号のＹ，ＰＢ，ＰＲ入力回路である。２は、ＮＴＳＣの輝度信号Ｙと色信号Ｃから色差信号Ｂ−Ｙ，Ｒ−Ｙを復調するＮＴＳＣ色差信号復調回路である。３は、コンポーネント・ビデオ入力のＹ，ＰＢ，ＰＲ信号とＮＴＳＣのＹ，Ｂ−Ｙ，Ｒ−Ｙ信号を切り替えるスイッチ回路である。４は、Ｙ信号から水平／垂直同期信号を分離する同期信号分離回路である。５は、ＨＤ（ハイ・ディフィニション）カラー・マトリクスの外部コンポーネント・ビデオのＹ，ＰＢ，ＰＲ信号をＨＤ復調により、ＳＤ（スタンダード・ディフィニション）カラー・マトリクスのＮＴＳＣのＹ，Ｂ−Ｙ，Ｒ−Ｙ信号をＳＤ復調によりＲ，Ｇ，Ｂの原色信号に復調するＲＧＢ復調回路である。６は、ＰＢ，ＰＲ信号をＢ−Ｙ，Ｒ−Ｙ信号に変換する色差信号振幅変換アンプ回路である。７は、水平同期周波数を検出する水平同期周波数検出回路である。８は、色差信号振幅変換アンプ回路６通過前後の信号を切り替えるスイッチ回路８である。以下にその動作を説明する。
【００１１】
図１において、外部コンポーネント・ビデオ信号はＹ，ＰＢ，ＰＲ入力回路１に入力され、色差信号振幅変換アンプ回路６とスイッチ回路８に伝達される。色差信号振幅変換アンプ回路６を通過したＰＢ，ＰＲ信号は、Ｂ−Ｙ，Ｒ−Ｙ信号に振幅変換され、スイッチ回路８に伝達される。
スイッチ回路８で選択されたＹ，ＰＢ，ＰＲ信号もしくはＹ，Ｂ−Ｙ，Ｒ−Ｙ信号はスイッチ回路３に伝達される。
【００１２】
一方、ＮＴＳＣの輝度信号Ｙと色信号ＣはＮＴＳＣ色差信号復調回路２でＹ，Ｂ−Ｙ，Ｒ−Ｙ信号に復調され、スイッチ回路３に伝達される。
スイッチ回路３で選択された外部コンポーネント・ビデオのＹ信号もしくはＮＴＳＣのＹ信号が同期信号分離回路４に伝達される。
同期信号分離回路４でＹ信号から分離された水平／垂直同期信号は偏向回路と、水平同期周波数検出回路７に伝達される。水平同期周波数検出回路７で、３３．７５ｋＨｚの水平同期周波数を検出すると、スイッチ回路８は、色差信号振幅変換アンプ回路６通過前のＹ，ＰＢ，ＰＲ信号を選択し、３１．４７ｋＨｚ及び、１５．７３ｋＨｚの水平同期周波数を検出すると、スイッチ回路８は、色差信号振幅変換アンプ回路６通過後のＹ，Ｂ−Ｙ，Ｒ−Ｙ信号を選択する。
【００１３】
また、スイッチ回路３で選択された外部コンポーネント・ビデオのＹ，ＰＢ，ＰＲ信号もしくはＮＴＳＣ及び、外部コンポーネント・ビデオのＹ，Ｂ−Ｙ，Ｒ−Ｙ信号がＲＧＢ復調回路５に伝達され、Ｙ，ＰＢ，ＰＲ信号はＨＤ（ハイ・ディフィニション）復調、Ｙ，Ｂ−Ｙ，Ｒ−Ｙ信号はＳＤ（スタンダード・ディフィニション）復調によって、輝度信号と色差信号からＲ，Ｇ，Ｂの原色信号に復調される。
【００１４】
（実施の形態２）
図２は、本発明の実施の形態２における、入力信号の水平同期周波数に応じて、ＰＢ，ＰＲ信号の振幅を増幅してＢ−Ｙ，Ｒ−Ｙ信号に変換する色差信号振幅可変アンプ回路を備えることで、入力信号のカラー・マトリクスに忠実な色を再現する為の振幅変換を自動的に行うことを特徴とする色差信号変換回路の概略構成図を示すものである。
【００１５】
図２において、符号１は、外部コンポーネント・ビデオ信号のＹ，ＰＢ，ＰＲ入力回路である。２は、ＮＴＳＣの輝度信号Ｙと色信号Ｃから色差信号Ｂ−Ｙ，Ｒ−Ｙを復調するＮＴＳＣ色差信号復調回路である。３は、コンポーネント・ビデオ入力のＹ，ＰＢ，ＰＲ信号とＮＴＳＣのＹ，Ｂ−Ｙ，Ｒ−Ｙ信号を切り替えるスイッチ回路である。４は、Ｙ信号から水平／垂直同期信号を分離する同期信号分離回路である。５は、ＨＤ（ハイ・ディフィニション）カラー・マトリクスの外部コンポーネント・ビデオのＹ，ＰＢ，ＰＲ信号をＨＤ復調により、ＳＤ（スタンダード・ディフィニション）カラー・マトリクスのＮＴＳＣのＹ，Ｂ−Ｙ，Ｒ−Ｙ信号をＳＤ復調によりＲ，Ｇ，Ｂの原色信号に復調するＲＧＢ復調回路である。９は、ＰＢ，ＰＲ信号をＢ−Ｙ，Ｒ−Ｙ信号に変換する色差信号振幅可変アンプ回路である。７は、水平同期周波数を検出する水平同期周波数検出回路である。以下にその動作を説明する。
【００１６】
図２において、外部コンポーネント・ビデオ信号はＹ，ＰＢ，ＰＲ入力回路１に入力され、色差信号振幅可変アンプ回路９に伝達される。
色差信号振幅可変アンプ回路９を通過したＰＢ，ＰＲ信号もしくはＢ−Ｙ，Ｒ−Ｙ信号は、スイッチ回路３に伝達される。
一方、ＮＴＳＣの輝度信号Ｙと色信号ＣはＮＴＳＣ色差信号復調回路２でＹ，Ｂ−Ｙ，Ｒ−Ｙ信号に復調され、スイッチ回路３に伝達される。
スイッチ回路３で選択された外部コンポーネント・ビデオのＹ信号もしくはＮＴＳＣのＹ信号が同期信号分離回路４に伝達される。
同期信号分離回路４でＹ信号から分離された水平／垂直同期信号は偏向回路と、水平同期周波数検出回路７に伝達される。
【００１７】
水平同期周波数検出回路７で、３３．７５ｋＨｚの水平同期周波数を検出すると、色差信号振幅可変アンプ回路９は、ゲイン０となり、ＰＢ，ＰＲ信号を出力し、３１．４７ｋＨｚ及び、１５．７３ｋＨｚの水平同期周波数を検出すると、色差信号振幅可変アンプ９は、ＰＢ，ＰＲ信号の振幅を増幅し、Ｂ−Ｙ，Ｒ−Ｙ信号を出力する。又、スイッチ回路３で選択された外部コンポーネント・ビデオのＹ，ＰＢ，ＰＲ信号もしくはＮＴＳＣ及び、外部コンポーネント・ビデオのＹ，Ｂ−Ｙ，Ｒ−Ｙ信号がＲＧＢ復調回路５に伝達され、Ｙ，ＰＢ，ＰＲ信号はＨＤ（ハイ・ディフィニション）復調、Ｙ，Ｂ−Ｙ，Ｒ−ＹはＳＤ（スタンダード・ディフィニション）復調によって、輝度信号と色差信号からＲ，Ｇ，Ｂの原色信号に復調される。
【００１８】
【発明の効果】
以上のように本発明によれば、水平同期周波数を検出する水平同期周波数検出回路と、ＰＢ，ＰＲ信号の振幅を増幅してＢ−Ｙ，Ｒ−Ｙ信号に変換する色差信号振幅変換アンプ回路と、色差信号振幅変換アンプ回路通過前後の信号を切り替えるスイッチ回路を備えて、水平同期周波数検出回路で検出した、入力信号の水平同期周波数に応じて、ＰＢ，ＰＲ信号の振幅を増幅してＢ−Ｙ，Ｒ−Ｙ信号に変換する色差信号振幅変換アンプ回路通過前後の信号を切り替える色差信号変換回路と、水平同期周波数を検出する水平同期周波数検出回路と、ＰＢ，ＰＲ信号の振幅を増幅してＢ−Ｙ，Ｒ−Ｙ信号に変換する色差信号振幅可変アンプ回路を備えて、水平同期周波数検出回路で検出した、入力信号の水平同期周波数に応じて、ＰＢ，ＰＲ信号の振幅を増幅してＢ−Ｙ，Ｒ−Ｙ信号に変換する色差信号変換回路により、入力信号のカラー・マトリクスに忠実な色を再現する為の振幅変換を自動的に行うことが可能となり、その実用的な効果は大なるものである。
【図面の簡単な説明】
【図１】本発明の実施の形態１における色差信号変換回路のブロック構成図
【図２】本発明の実施の形態２における色差信号変換回路のブロック構成図
【図３】従来のテレビジョン受信装置のブロック構成図
【符号の説明】
１  Ｙ，ＰＢ，ＰＲ入力回路
２  ＮＴＳＣ色差信号復調回路
３  スイッチ回路
４  同期信号分離回路
５  ＲＧＢ復調回路
６  色差信号振幅変換アンプ回路
７  水平同期周波数検出回路
８  スイッチ回路
９  色差信号振幅可変アンプ回路
【図１】
0003546667.tif 000002
【図２】
0003546667.tif 000003
【図３】
0003546667.tif 000004